(57)【要約】【課題】本発明は、携行が容易で、電源事情にあまり影響されずに多様なライティングのニーズに自在に対応でき、コンパクトで操作性に優れ、近距離撮影による問題を容易に解消できる撮影ライティング装置を提供することを目的とする。【解決手段】本発明の撮影ライティング装置は、支柱４ａ，４ｂが立設された架台３と、高さを調整して支柱４ａ，４ｂ間に支持され上方から被写体２に光を照射する蛍光灯面光源５と、支柱４ａ，４ｂに取り付けられ第２のアーム８２の高さ及び被写体２との間隔が調整されるバックシートアーム８と、第２のアーム８２から垂下され被写体２の背後に配置されるバックシート７と、被写体２を載置して支柱４ａ，４ｂ間に支持され、高さの調整と共に載置面のスライドと傾斜が可能な載置体６を備え、近距離撮影のために過度に遠近が強調された構図を載置体２の操作で陰影の変化を低減して修正できる【選択図】図１
2006171088.tif 000002
【特許請求の範囲】
【請求項１】
一対の支柱が立設された架台と、高さを調整して前記支柱間に支持され上方から被写体に向けて光を照射する面光源と、前記支柱に取り付けられ把持部の高さ及び前記被写体との間隔が調整される係止腕と、前記把持部から垂下され前記被写体の背後に配置されるバックシートと、前記被写体を載置して前記支柱間に支持され、高さの調整と共に載置面のスライドと傾斜をさせることが可能な載置体を備え、前記バックシートの垂下端が前記載置体に載置又は係止されたときに該載置体の操作でその形状と反射光の光量を変化させることができる近距離撮影用の撮影ライティング装置であって、過度に遠近が強調された構図の修正を行うときには、前記載置体の操作で前記構図の一次的修正を行うと同時に、反射光の変化を誘引して修正に伴う陰影の変化を低減することを特徴とする撮影ライティング装置。
【請求項２】
前記面光源のスライドと傾斜が可能なことを特徴とする請求項１記載の撮影ライティング装置。
【請求項３】
前記バックシートの前記被写体背後に形成された曲面の曲率半径を変化させ、前記被写体背後の光量を変化させることを特徴とする請求項１又は２に記載された撮影ライティング装置。
【請求項４】
前記支柱の一方又は両方に自在位置で自在角度に設定できるレフ板が設けられたことを特徴とする請求項１〜３のいずれかに記載された撮影ライティング装置。
【請求項５】
前記支柱の一方又は両方に自在位置で自在角度に設定できる側方光源が設けられたことを特徴とする請求項１〜３のいずれかに記載された撮影ライティング装置。
【請求項６】
前記載置体がガイド枠と載置板から構成され、前記ガイド枠が傾斜可能であるとともに、該ガイド枠のレールに沿って前記載置板がスライドすることを特徴とする請求項１〜５のいずれかに記載された撮影ライティング装置。
【請求項７】
前記バックシートが光を反射するほかに一部透過させる材料から構成されたことを特徴とする請求項１〜６のいずれかに記載された撮影ライティング装置。
【請求項８】
前記支柱の前記第３の高さより低い第６の高さにスライドと傾斜できる第２の面光源を設けるとともに、前記載置板が透光性材料から構成され、前記被写体の下方から該被写体を照射することを特徴とする請求項７記載の撮影ライティング装置。
【請求項９】
前記架台には走行輪が設けられていることを特徴とする請求項１〜８のいずれかに記載の撮影ライティング装置。
【発明の詳細な説明】
【技術分野】
【０００１】
本発明は、写真やビデオ撮影を行うためのミニスタジオと評価できる近距離撮影用の撮影ライティング装置、とくに、持ち運びが容易で、コンパクトな構造ながらロケ地等の撮影現場で多様な照明のニーズに自在に対応できる撮影ライティング装置に関するものである。
【背景技術】
【０００２】
従来、スタジオなどで行われるカタログやポスター等の商品撮影、人物などのポートレートの撮影においては、高画質の画像の撮影を行うためにストロボが使われてきた（例えば特許文献１参照）。しかしストロボは強力な点光源のため、明暗のはっきりした画像となる反面、陰を生じ易く、そのままでは被写体の質感や階調の表現が不十分になるため、多くの場合、アンブレラやディフューザ、レフ板等を使って撮影されている。
【０００３】
そして最近はデジタルカメラが使用されるようになったが、デジタルカメラでも高画質の画像の撮影はストロボを使って行われる。ただ、デジタルカメラの約９割を占めるコンパクトタイプのカメラには外部ストロボ光と同調する機能がなく、これらのカメラではこうした撮影は行えない。ストロボを使った撮影が行えるのは同調機能を有すデジタルカメラに限られる。しかし、このようなデジタルカメラもＣＣＤの特性から従来の銀塩写真フィルムに比較して光の影響を大きく受け易く、被写体のハイライト部分、シャドウ部分での階調再現性に課題が残るものであった。
【０００４】
このようにストロボを使う撮影は、光学カメラでも、同調機能を有すデジタルカメラでも、ディフューザで拡散させたりレフ板で反射させたりすることにより、強い陰影を軽減し、階調再現がなされている。
【０００５】
しかし、ストロボ撮影におけるこうした光度調整は、本格的なスタジオ等で時間をかけて撮影するような撮影の場合には実行可能であるが、設備のないロケ地での撮影、例えばレストランや飲食店で行うメニューの撮影、飲食物のサンプル等の撮影等ではこのような光度調整は実行不能である。固より、こうした本格的な装備を有していないアマチュアカメラマンなどは実行不可能である。
【０００６】
そこで、最近、ストロボに代わる蛍光灯によるライティングが注目されるようになった。本発明者も他の発明者と共に蛍光灯を使った撮影用ユニバーサルライティング装置を提案した（特許文献２参照）。蛍光灯は点光源のストロボと異なってソフトな面光源であり、ストロボ光のような光の影響を階調表現等において与える可能性が低く、強い陰も生じにくい。また、ストロボのようにチャージ後に一挙に放電させる瞬間的な光でなく、連続光であるため撮影に際してライティングの状態をチェックしながら撮影することが可能であり、上述のストロボの欠点は一応一掃できる。
【０００７】
しかし、蛍光灯のライティング装置は面光源であるため形状が大きくなり、ディフューザ、レフ板等の他構成が従来の構成のままでは持ち運びが難しく、このような装置でロケ地での撮影を行うことは負担が大きく、ニーズのすべてに対応するのは困難である。そこで持ち運びを容易にするため、複数の蛍光灯ライトをアタッシュケースタイプの収納ボックスに収容した携帯型ライティング装置が提案された（特許文献３参照）。この携帯型ライティング装置は撮影台とライティング装置が一体に構成されるが、蛍光灯ライトは光量が小さく、ライティングの自由度が低いため、この携帯型ライティング装置を使ってあらゆる高品質の写真を撮影するのは難しい。
【０００８】
その理由は、被写体には、背の高いものや背の低いもの、大きなものや小さなもの、角柱のような陰影が強く表れるものや曲線を基調とする階調が重要なものなど様々なものがあるし、ライティング方法にも、上方と側面からライティングするもの、あるいは下側から照明して浮き上がるような特殊効果を狙うものなど、多様なものがあるからであり、特許文献３の携帯型ライティング装置はこれらに対応できないからである。この特許文献３の携帯型ライティング装置は、ライティングされる空間が狭く、撮影できる被写体は小さいもの、背の低いものに限られ、しかも、レンズから被写体までが近いため、遠近が誇張されないように撮影しようとすると、カメラのアングルは限られ、画像の構図は常に似た内容になってしまう。
【０００９】
このように、従来の携帯型ライティング装置で行える撮影は限定された条件での撮影となるものであった。
【００１０】
【特許文献１】再公表０１−４４８６８号公報
【特許文献２】特開２００４−１７８９０８号公報
【特許文献３】特開２００２−９９０４１号公報
【発明の開示】
【発明が解決しようとする課題】
【００１１】
カタログ、ポスター等の商品撮影、人物などのポートレートの撮影において立体感のある高品質の写真を得るには、被写体に十分に光がまわることや、斜光線等により適度の陰影をつけることが必要である。このためにはある程度以上の光量を持つ面光源によるライティングが必要であり、場合によっては複数のスポット光との組み合わせによる多灯ライティングやレフ板等の利用が必要となる。
【００１２】
しかし、以上説明した特許文献３の携帯型ライティング装置は、小型のため光量が小さく、補助光源と反射等のその他の手段を利用したライティング方法の自由度も低く、自在な構図で、立体感ある高画質の画像は得られにくい。狭い空間で撮影するため被写体は、基本的に小さいもの、背の低いものに限られ、また、レンズから被写体までの距離が基本的に近くなるため、斜光線で適度の陰影をつけようとするとアングルによっては遠近が強く表れ過ぎ、イメージどおりの画像を撮影するのが難しいものであった。
【００１３】
ロケ地だからといって被写体が限定されるものではなく、背の高いものや、大きなもの、場合によっては人間や動物等の場合もあるし、ライティング方法にも、上方から行う通常のライティングのほかに、上方や側面から行うライティングや、下側から照明して浮き上がるような効果を与えるライティング方法など、様々のニーズがある。限られた構図や被写体しか撮影しかできないライティング装置は、プロユースは固より、アマチュアでも使いづらく、移動可能なミニスタジオと評価することはできない。また、ロケ地の電源事情はすべて異なり、望みどおりの電源の供給があるとは限らず、限られた電源で撮影することも必要になる。
【００１４】
このため、従来の携帯型ライティング装置を使っての撮影は単純な構図以外難しく、ユニークな構図や自在なライティングを行う場合は、ロケ地で無く、無理してでもスタジオで撮影するしか方法がなかった。
【００１５】
このほか、市販されているライティング装置には、三脚あるいはこれと類似の取り付け器具を使うものがあるが、これらはミニスタジオと呼べるようなものではなく、しかも撮影時に撮影台や背景紙等を別体として準備する必要があった。これは持ち運びするライティング装置、撮影台としては使いづらいものである。
【００１６】
さらに、撮影用のスタジオを保有するにはコストがかかる。ミニスタジオと評価可能なライティング装置であれば、スタジオをもたない場合であっても、代替的なスタジオとして使用することができる。
【００１７】
本発明は、携行が容易で、電源事情にあまり影響されずに多様なライティングのニーズに自在に対応でき、コンパクトで操作性に優れ、近距離撮影による問題を容易に解消できる撮影ライティング装置を提供することを目的とする。
【課題を解決するための手段】
【００１８】
上記課題を解決するために本発明は、一対の支柱が立設された架台と、高さを調整して支柱間に支持され上方から被写体に向けて光を照射する面光源と、支柱に取り付けられ把持部の高さ及び被写体との間隔が調整される係止腕と、把持部から垂下され被写体の背後に配置されるバックシートと、被写体を載置して支柱間に支持され、高さの調整と共に載置面のスライドと傾斜をさせることが可能な載置体を備え、バックシートの垂下端が載置体に載置又は係止されたときに該載置体の操作でその形状と反射光の光量を変化させることができる近距離撮影用の撮影ライティング装置であって、過度に遠近が強調された構図の修正を行うときには、載置体の操作で構図の一次的修正を行うと同時に、反射光の変化を誘引して修正に伴う陰影の変化を低減することを特徴とする。
【発明の効果】
【００１９】
本発明の撮影ライティング装置は、持ち運びが容易で、ロケ地等の電源事情にあまり影響されることがなく、省電力であり、被写体の大きさや高さ、その他の多様なライティングのニーズに自在に対応してフレキシブルにセッティングでき、如何なる場所にも簡単にミニスタジオを設営でき、ワンタッチもしくは簡単な操作だけで扱えるので操作性に優れ、撮影に際しても近距離撮影による遠近の構図と陰影の問題が同時に容易に解消される。
【発明を実施するための最良の形態】
【００２０】
本発明の第１の形態は、一対の支柱が立設された架台と、高さを調整して支柱間に支持され上方から被写体に向けて光を照射する面光源と、支柱に取り付けられ把持部の高さ及び被写体との間隔が調整される係止腕と、把持部から垂下され被写体の背後に配置されるバックシートと、被写体を載置して支柱間に支持され、高さの調整と共に載置面のスライドと傾斜をさせることが可能な載置体を備え、バックシートの垂下端が載置体に載置又は係止されたときに該載置体の操作でその形状と反射光の光量を変化させることができる近距離撮影用の撮影ライティング装置であって、過度に遠近が強調された構図の修正を行うときには、載置体の操作で構図の一次的修正を行うと同時に、反射光の変化を誘引して修正に伴う陰影の変化を低減する撮影ライティング装置であり、コンパクトなミニスタジオを設営するため必要最小限の部材から構成されているために持ち運びが容易で、操作性に優れ、被写体の大きさや高さ、その他の多様なライティングのニーズに自在に対応してフレキシブルにセッティングできる。載置体とバックシートとで反射光を利用するからロケ地等の電源事情に影響されることが少なく、省電力であり、近距離撮影による遠近の構図と陰影の問題が載置体によって同時に容易に解消される。また、載置体はこのような構図の一次的修正だけでなく、当然、逆に立体感を与えるための積極的な構図を与えるための操作を行うときにも使用される。
【００２１】
本発明の第２の形態は、第１の形態に従属する形態であって、面光源のスライドと傾斜が可能な撮影ライティング装置であり、面光源を操作するためにさらに操作性が向上し、光のコントロールの自由度をさらに上げることができる。垂直若しくは垂直近く傾斜させたときにはポートレート撮影が可能になる。
【００２２】
本発明の第３の形態は、第１又は第２の形態に従属する形態であって、バックシートの被写体背後に形成された曲面の曲率半径を変化させ、被写体背後の光量を変化させる撮影ライティング装置であり、軽く持ち運びが容易で、反射光のコントロールが容易で、ロケ地等の電源事情にあまり影響されることがなく、省電力である。被写体の大きさや高さ、その他の多様なライティングのニーズに自在に対応してフレキシブルにセッティングできる。
【００２３】
本発明の第４の形態は、第１〜第３のいずれかの形態に従属する形態であって、支柱の一方又は両方に自在位置で自在角度に設定できるレフ板が設けられた撮影ライティング装置であり、軽く持ち運びが容易で、反射光のコントロールが容易で、ロケ地等の電源事情にあまり影響されることがなく、省電力である。
【００２４】
本発明の第５の形態は、第１〜第３のいずれかの形態に従属する形態であって、支柱の一方又は両方に自在位置で自在角度に設定できる側方光源が設けられた撮影ライティング装置であり、軽く持ち運びが容易で、ロケ地等の電源事情にあまり影響されることがなく、省電力であり、反射光だけでは不十分な場合に最小限の電力を消費するだけでライティングでき、ロケ地等の電源事情にあまり影響されることがなく、省電力である。
【００２５】
本発明の第６の形態は、第１〜第５のいずれかの形態に従属する形態であって、載置体がガイド枠と載置板から構成され、ガイド枠が傾斜可能であるとともに、該ガイド枠のレールに沿って載置板がスライドする撮影ライティング装置であり、操作性がきわめて優れており、載置板がスライドさせるだけで近距離撮影による遠近の構図と陰影の問題が同時に容易に解消される。
【００２６】
本発明の第７の形態は、第１〜第６のいずれかの形態に従属する形態であって、バックシートが光を反射するほかに一部透過させる材料から構成された撮影ライティング装置であり、バックシートの背後から補助光源でライティングできる。
【００２７】
本発明の第８の形態は、第７の形態に従属する形態であって、支柱の第３の高さより低い第６の高さにスライドと傾斜できる第２の面光源を設けるとともに、載置板が透光性材料から構成され、被写体の下方から該被写体を照射する撮影ライティング装置であり、載置板の下方から補助光源でライティングできるので、光量を増加させるとともに、被写体を浮き上がらせるような照明効果を与えることができる。
【００２８】
本発明の第９の形態は、第１〜第８のいずれかの形態に従属する形態であって、架台には走行輪が設けられている撮影ライティング装置であり、持ち運びが容易で、移動も容易である。
【実施例１】
【００２９】
(実施例１)
本発明の実施例1の撮影ライティング装置について説明する。図１は本発明の実施例１における撮影ライティング装置の全体斜視図、図２は図１の撮影ライティング装置の載置体の支持部斜視図、図３は本発明の実施例１における第２の載置体を備えた撮影ライティング装置の全体斜視図、図４は本発明の実施例１における撮影ライティング装置の架台要部斜視図、図５は本発明の実施例１における撮影ライティング装置の面光源全体斜視図、図６は本発明の実施例１におけるレク板を供えた撮影ライティング装置の全体斜視図である。
【００３０】
図１において、１はロケ地等へ携行して組み立てて使用し、使用後は分解することができる近距離撮影を中心にした撮影ライティング装置であり、２は撮影ライティング装置１で撮影する被写体である。
【００３１】
３は撮影ライティング装置１を支える架台、４ａ，４ｂは架台３に左右２本が対向して垂直に立設された一対の支柱、５は蛍光灯を複数個有するボックスタイプの蛍光灯面光源である。左右一対の支柱４ａ，４ｂには蛍光灯面光源５や被写体２等を取り付けるため、それに対応できる十分な強度が求められ、本実施例１においては直径２５ｍｍ、長さ１３００ｍｍの断面円形のステンレス管を使用している。背の高い被写体２を撮影する場合には、増設用の支柱４ａ，４ｂを継手で接続し、２段以上に多段化された支柱４ａ，４ｂにする。支柱４ａ，４ｂで多段化するため、組み立て前の支柱４ａ，４ｂをコンパクト化することができ、移動や運搬が容易になる。なお、支柱４ａ，４ｂは鋼管、アルミ管、樹脂管等の他材料のパイプでよく、断面形状は円形が望ましいが、柱状であれば四角形、六角形等の多角形、またその他の断面形状でもよい。
【００３２】
架台３はステンレス製で６５ｃｍ×７０ｃｍの長方形とし、長辺の枠に支柱４ａ，４ｂを取り付け自在に固定し、乳白色アクリル板を載せて利用する。そのサイズは限定されるものではないが、光量の観点から蛍光灯面光源５の１．０〜１．５倍程度の広さが望ましい。架台３には後述するように地面側に走行輪が設けられ、撮影ライティング装置１を移動するときに利用するだけでなく、物を載せて運搬する台車として利用できる。これについては後述する。
【００３３】
また、蛍光灯面光源５の本体は約６５ｃｍ角方形の枠体に高周波点灯式蛍光灯４５ｗをツイン２パラレル形に４本組み込み、前面（照射面）に半透明アクリル板等のプラスチック製の拡散板を使用して光の拡散を均一化している。これにより、蛍光灯面光源５は連続光である蛍光を照射し、全光束１７４００ｌｍである。ツイン１形、ツイン２形、ツイン３形等の他の光源でもよい。蛍光灯面光源５は、後述するように固定ネジを緩めることで、支柱４ａ，４ｂに取り付ける位置を上下に調整することができるし、蛍光灯面光源５本体を支えるスライド部の重ね合わせた位置を前後にずらしてネジで螺合することで、照射面の平面内でスライドさせることができる。さらに、このスライド及び上下の動作に加えて、あるいはこれらと独立して蛍光灯面光源５の本体を前傾あるいは後傾させ、１８０°の範囲の角度で任意に固定することができる。
【００３４】
６は被写体２を載置して支柱４ａ，４ｂ間に支持され載置面上のスライドと傾斜が行える載置板（本発明の載置体）である。載置板６は、支持金具５０と同様に支持金具６０（後述）の固定ネジを緩めることにより、支柱４ａ，４ｂに固定する位置を上下に調整することができる。さらに支持金具６０の載置板６を支えるスライド部の重ね合わせた位置を前後にずらせることで、載置面の平面内でスライドさせることができる。このスライド及び上下の動作に加えて、あるいはこれと独立して載置板６を前傾あるいは後傾させ所定の角度で任意に固定することができる。
【００３５】
次に、７は被写体２の背後に配置される紙やプラスチックシート等のバックシート、８は支柱４ａ，４ｂに高さを調整して取り付けられ、ロール状に巻いたバックシート７を挿通し、被写体２から所定の間隔を挟んで垂下させるバックシートアーム（本発明の係止腕）である。なお、紙のバックシートは背景紙と呼ばれる。８１は支柱４ａ，４ｂ周りに回転可能に取り付けられたバックシートアーム８を構成する第１のアーム、８２はこの第１のアーム８１に直交し、バックシート７を挿通するための第２のアーム（本発明の把持部）であり、両アームは第１のアーム８１の所定位置にネジで自在に係止される。従って支柱４ａ，４ｂからこの係止される位置までの距離がバックシート７を垂らす被写体２からの間隔となる。
【００３６】
バックシート７は第２のアーム８２からなだらかな角度で一様に垂らされて、重力と摩擦力、載置板６との接触位置とにより、放物面等の２次曲面状の曲面を形成する。従ってバックシート７に作用する張力等のパラメータを一部変更することで好適な形状にすることができる。バックシート７はロール状に巻いて第２のアーム８２に挿通するので、用途、例えば色や背景に応じてすぐに交換でき、終了したら巻き戻して保管する。反射光の光量を増加させるために反射率の高い材質の紙や低い材質の紙、表面に高反射率のコーティングを施したバックシート７に交換することもできる。
【００３７】
上述したように、バックシート７の２次曲面状の曲面の曲率半径は、バックシートアーム８の載置板６からの高さ、被写体２から第２のアーム８２までの背後の間隔、載置板６の傾斜角度、バックシート７の材料の比重、その反射率、バックシート７と載置板６との間の摩擦係数、両者の接触位置等により、変化させることが可能である。そしてこの曲率半径と反射率によって被写体２に照射する光量をコントロールすることができる。
【００３８】
続いて図１において、９は支柱４ａ，４ｂの一方又は両方に取り付けられる光量を増すために増設される側部アーム、１０は側部アーム９に取り付けられ、図１に示すように位置と角度を自在に設定して被写体２に増設スポット光を照射する蛍光灯等の側方光源である。なお、図１においては支柱４ａにのみ側方光源１０が設けられているが、支柱４ａ，４ｂの両方に側方光源１０を設けることができる。それぞれ複数増設して多灯ライティングにすることもできる。側部アーム９と側方光源１０との組み合わせて、左右に３６０°回転、上下に無段階移動が可能になる。また、側方光源１０がスポット光源に限られないのは当然で、上述した蛍光灯面光源５と同様の面光源も好適である。
【００３９】
次に、図２、図３に基づいて載置板６とその支持構造について詳細に説明する。図２において、６０は支柱４ａ，４ｂを挿通する載置板６の支持金具、６１は支持金具６０の側面に溶接等で固定された固定板、６２は固定板６１上で回動する回動板である。この回動板６２はピン（図示しない）で固定板６１に取り付けられており、ピン周りに回動できる。
【００４０】
６３は回動板６２のピン周りに形成された弧状の長孔、６４はこの弧状の長孔６３内に挿通し固定板６１側のナットと螺合させるための締め付けネジ、６５は回動板６２に設けられ載置板６を支える折り曲げ部である。締め付けネジ６４を緩めて回動板６２を回転させ、所定角度回転したとき再び締め付ければ回動板６２と折り曲げ部６５は一体物として所定角度傾斜したことになる。これにより載置板６を前傾あるいは後傾させ所定の角度で任意に固定することができる。
【００４１】
また、６６は折り曲げ部６５上に載置されて重ね合わされるスライド部、６７はスライド部６６に形成された重合孔、６８は重合孔６７内に挿通し折り曲げ部６５側のナットと螺合させるための締め付けネジである。載置板６を支えるスライド部６６の重合孔６７と挿通孔の重なる位置を前後にずらせることで、載置面の平面内で載置板６をスライドさせることができる。なお、固定板６１、折り曲げ部６５には締め付けネジを挿通するための挿通孔（図示しない）が設けられている。そして上記の構造の説明から分るように、載置板６の傾斜とスライドはそれぞれ独立して変更できる。
【００４２】
ところで、載置板６の支持構造には図３に示すような更に使い易く好適な第２のスライド構成もある。図３において、６９は矩形状のガイド枠、７０はガイド枠６９に載置する半透明アクリル板等のプラスチック製のスライド載置板、７１はガイド枠６９に設けられスライド載置板７０の両端を受け入れてガイドする溝状のレールである。なお、半透明アクリル板等のスライド載置板７０は下方に補助光源を配置して、下方から被写体２を照射する場合に用いられる。
【００４３】
この第２のスライド構成においてガイド枠６９を支柱４ａ，４ｂに支持する支持構造は、上記した支持金具６０、固定板６１、回動板６２、弧状の長孔６３、締め付けネジ６４と同一であり、ガイド枠６９が回動板６２に固定される。これらの説明は上述の説明と重複するので省略する。
【００４４】
レール７１とスライド載置板７０の間隙寸法と摩擦力の大きさとで最大３０°〜４０°傾斜させてもズレ落ちないように構成できるので、第２のスライド構成はスライド載置板７０を引き出したり、押し込んだりするだけで任意の位置にセッティングでき、締め付けネジ６８や重合孔６７のような構成は不要で、きわめて簡単な構成で操作が可能になる。もちろん、締め付けネジやその他の固定ネジ、固定手段を併設することもできる。
【００４５】
このように載置板６とその支持構造を上記したような構成とすることで、支柱４ａ，４ｂに取り付ける高さを変更し、載置面のスライドと傾斜をこの一方又は双方を調整することができるので、本発明の撮影ライティング装置１は、一次的に載置板６を操作するだけで、カメラで撮影する構図の修正を簡単に行うことができ、同時にバックシート７による反射光の変化を誘引して、陰影の変化を抑えるような調整をすることができる。なお、さらに二次的に陰影を調整するには、蛍光灯面光源５やバックシート７、反射板、補助光源等を調整すればよい。なお、上記の構図の修正を行わなければならないのは、ミニスタジオで近距離撮影すると過度に遠近が強調された構図になり易く、撮影角度を変えないでそのまま撮影すると誇張された立体感の立体像となってしまうためである。
【００４６】
続いて、図４に基づいて架台３について詳細に説明する。図４において、１１は台車機能を備えた架台３に装着するＴ字型ハンドルである。Ｔ字型ハンドル１１は撮影ライティング装置１の備品として設けられる。３０は架台３の両端の設けられ支柱４ａ，４ｂの一方を固定する固定用金具、３１は固定用金具３０の分割シリンダのヒンジ部、３２はこの分割シリンダを固定する固定ネジである。また、３３は架台３の中央に設けられた収容容器であり、３４は架台３の移動を容易にする走行輪である。
【００４７】
実施例１の撮影ライティング装置１を運搬したり移動させたりするときには、架台３に台車機能を持たせ、図２に示すように固定用金具３０にＴ字型ハンドル１１を挿入して固定ネジ３２で固定する。例えば、組み立て前の撮影ライティング装置１をロケ地等へ運搬するときには、部品が分散し無いように、Ｔ字型ハンドル１１と共に、分解した状態の撮影ライティング装置１を収容容器３３内に収容し搬送する。ロケ地等で撮影ライティング装置１を組み立てる前に、ロケ地内の所定位置まで運搬するときには、Ｔ字型ハンドル１１を装着して分解した部品を収容容器３３内に収容したまま搬送すればよい。さらに、組み立てが済んで、完成した撮影ライティング装置１を移動させるときは装置のどこかを押せばよい。
【００４８】
次に、図５に基づいて蛍光灯面光源５の支持構造について詳細に説明する。図５において、５０は支柱４ａ，４ｂを挿通する蛍光灯面光源５の支持金具、５１は支持金具５０の側面に溶接等で固定された固定板、５２は固定板５１上で回動する回動板である。この回動板５２はピンＰで固定板６１に取り付けられており、ピンＰ周りに回動できる。
【００４９】
５３は回動板５２のピンＰ周りに形成された弧状の長孔、５４はこの弧状の長孔５３内に挿通し固定板５１側のナットと螺合させるための締め付けネジ、５５は回動板５２に設けられ蛍光灯面光源５を支える折り曲げ部である。締め付けネジ５４を緩めて回動板５２を回転させ、所定角度回転したとき再び締め付ければ回動板５２と折り曲げ部５５は一体物として所定角度傾斜したことになる。これにより蛍光灯面光源５の本体を前傾あるいは後傾させ、所定の角度で任意に固定することができる。５６は折り曲げ部５５に形成された締め付けネジ５９（後述）を挿通するための挿通孔である。
【００５０】
また、５７は折り曲げ部５５上に載置されて重ね合わされるスライド固定部、５８はスライド固定部５７に所定ピッチで複数形成された重合孔、５９は重合孔５８の一つと芯合わせして挿通しスライド固定部５７側のナットと螺合させるための締め付けネジである。蛍光灯面光源５のスライド操作は下方から行うことが多いため、締め付けネジ５９は折り曲げ部５５側に設けられている。蛍光灯面光源５を支えるスライド固定部５７の重合孔５８と挿通孔５６が合致する位置を前後にずらせることで、前面（照射面）の形成する平面内で蛍光灯面光源５をスライドさせることができる。
【００５１】
蛍光灯面光源５はこのような支持構造を備えているので、被写体２の上方から高さと位置、照射の角度を任意に変えて自在なライティングが可能になる。蛍光灯面光源５を垂直、又はこれに近い角度に固定することにより、ポートレート用光源としても利用できる。また、面光源としては上述した蛍光灯光源５が最も優れており、好適であるが、タングステン光や、ディフューザ等で十分に拡散されたストロボ光、ＬＥＤ等の光源でも利用可能である。また、アクリル板等の透過性を有する材料で形成された箱型の構造体内に、家庭用に利用されている様々な形状の蛍光灯やその他の光源を収容し、これを面光源とすることも可能である。なお、図３のような載置板６の第２のスライド構成とし、ネジ等で固定するなどの支持構造を併用することもできる。
【００５２】
続いて、側方光源１０以外の光量を増すための増設構成について図６を基に説明する。図６において、１２は側部アーム９に取り付けられ、図６に示すように位置と角度を自在に設定して被写体２に反射光を照射する側方レフ板である。なお、図６においては支柱４ａにのみ側方レフ板１２が設けられているが、支柱４ａ，４ｂの両方に側方レフ板１２を設けることができる。またそれぞれ複数枚増設することもできる。側方レフ板１２は左右から載置板６上に均一に反射光を照射するため、従来外部に消失していた光を被写体２に集中することができる。本発明のような、ロケ地等へ持ち運び可能な撮影ライティング装置１においては、電源が十分用意されているところで常に撮影できるとは限らず、側方光源１０を用いて撮影するより、電源の面で有利であり、省電力にもなる。
【００５３】
また、１３は載置板６の下方に配置された支柱４ａ，４ｂに取り付けられる蛍光灯を複数個有するボックスタイプの補助面光源である。補助面光源１３の構成は蛍光灯面光源５よりやや小型ながら基本的に同一の構成であり、実施例１においては約５０ｃｍ角方形の枠体に高周波点灯式蛍光灯３２ｗを４本組み込み、前面（照射面）に半透明アクリル板等の拡散板を使用して光の拡散を均一化している。なお、補助面光源１３を使用する場合は、載置板６として半透明のスライド載置板７０を使う必要がある。補助面光源１３の支持構造やその他の構成は、照射方向が上向きになる点を除き実質的に蛍光灯面光源５と同一であって、詳細な説明は蛍光灯面光源５の説明に譲る。
【００５４】
さて、本発明はロケ地等での撮影に適したコンパクトで持ち運び可能な、ミニスタジオと評価できる撮影ライティング装置である。このため本発明の撮影ライティング装置１では近距離撮影が中心になり、多くの場合、遠近が過度に強調された構図を修正しなければならない。従って、この構図の修正が簡単に行え、同時にこの修正に伴って発生する陰影の変化を抑える必要がある。図７は本発明の実施例１における撮影ライティング装置の構図の修正と陰影の説明図、図８は本発明の実施例１における撮影ライティング装置の係止腕によるバックシートの形状変化を示す説明図、図９は本発明の実施例１における撮影ライティング装置の載置体によるバックシートの形状変化を示す説明図である。
【００５５】
本発明の撮影ライティング装置１は、支柱４ａ，４ｂを増設しない場合、また増設した場合も、基本的には照明空間が小さく、近距離からの撮影とならざるを得ない。近距離から撮影する場合、図７（ａ）に示すような正面からの構図では、遠近が強調された面白みのない画像となる。また、この構図では上方の蛍光灯面光源５からのライティングにより、被写体２であるコーヒーカップの下側と取手内側に僅かに陰が現れる。
【００５６】
この遠近を緩和するために載置板６を角度θ１だけ傾斜させると、図７（ｂ）に示すような構図となる。コーヒーカップの下側の陰が若干増すが、載置板６の傾斜によってバックシートの形状が変形され、比較的近距離からの反射で下側からの光量が増して、コーヒーカップの下側の陰はそれほど増大しない。同時に、コーヒーカップの取手内側の陰は反射光が増したため比較的薄くなる。陰影をさらに調整するには載置板６を僅かにスライドさせたり、上下させて微調整するか、バックシート７の形状を微調整し、必要に応じて蛍光灯面光源５等の微調整を行う。
【００５７】
さらに図７（ｃ）に示すように載置板６を角度θ２（θ２＞θ１）まで傾斜させると、本来であればコーヒーカップの下側の陰がさらに増すはずであるが、載置板６の傾斜によってバックシートがさらに変形し、反射で下側からの光量が増して、コーヒーカップの下側の陰は増大せず、若干上側に移動する。上記同様、陰影をさらに調整するには載置板６を僅かにスライドさせたり、上下させて微調整するか、バックシート７の形状を微調整し、必要に応じて蛍光灯面光源５等の微調整を行う。
【００５８】
このように載置板６の傾斜やスライド、上下させることによって、近距離撮影のため遠近が過度に強調された構図を一次的に修正するとともに、バックシート７からの反射を使うことにより、傾斜前の陰影状態をおおむね保ち、構図修正に伴う陰影の変化を抑えることができる。さらに二次的に調整する必要があれば、バックシートアーム８の第２のアーム８２の高さ又は被写体２との間隔を調整したり、蛍光灯面光源５を傾斜させたりスライドさせたりして調整するのがよい。これらの操作は載置板６の傾斜、スライドとは独立して調整できるので、載置板６の傾斜やスライド、上下動作という基本の操作に加えて、図７（ａ）（ｂ）（ｃ）の陰影を調整することができる。
【００５９】
ところで、図８（ａ）は第２のアーム８２の高さを調整したときに起こるバックシートの形状変化を示す。なお、バックシート７の垂下端は載置板６に載置されてその上に被写体２を載置するのでも、係止されてよい。当初第２のアーム８２は（イ）の位置にあってバックシート７の曲率半径はＲとする。この第２のアーム８２を（ロ）の位置に高さを調整すると、バックシート７の曲率半径はＲより大きなＲ１となる。逆に、第２のアーム８２を（ハ）の位置に調整すると、バックシート７の曲率半径はＲより大きなＲ２となる。すなわち、曲率半径の大きなＲ１の方がバックシート７と被写体２との間隔が近く、この曲面で反射光が（イ）の場合より被写体２に注がれ、曲率半径が小さなＲ２の方がバックシート７と被写体２との間隔が遠くなり、この曲面によって反射光が（イ）の場合より減る。
【００６０】
次に、図８（ｂ）は第２のアーム８２と被写体２との間隔を調整したときに起こるバックシートの形状変化を示す。当初第２のアーム８２は（イ）の位置にあってバックシート７の曲率半径はＲとする。この第２のアーム８２を（ニ）の位置に間隔を広げると、バックシート７の曲率半径はＲより大きくなる。逆に、第２のアーム８２を（ホ）の位置に調整すると、バックシート７の曲率半径はＲより小さくなる。すなわち、曲率半径が大きな（ニ）の方が被写体２近傍ではバックシート７と間隔が近く、反射光がより被写体２に注がれ、曲率半径が小さな（ホ）の方が被写体２近傍ではバックシート７との間隔が広がり、反射光が（イ）の場合より減る傾向がある。
【００６１】
同様に、載置板６を傾斜あるいはスライドさせた場合は図９（ａ）（ｂ）のようになる。図９（ａ）は載置板６を傾斜させたときに起こるバックシートの形状変化を示す。当初載置板６は（イ）の位置にあって、これを（ト）のように上方へ傾斜させると、バックシート７の曲率半径はＲより大きくなる。逆に、載置板６を（ヘ）のように下方へ傾斜させると、バックシート７の曲率半径はＲより小さくなる。すなわち載置板６を（ト）のように上方へ傾斜させると、被写体２に反射光がより注がれ、（ヘ）ののように下方すると被写体２の近傍ではバックシート７との間隔が広がり、反射光が（イ）の場合より減ることを示している。
【００６２】
さらに、図９（ｂ）に示すように載置板６をスライドさせた場合は、当初の載置板６は（イ）の位置にあり、これを（チ）のように前方へスライドさせると、バックシート７の曲率半径はＲより大きくなる。逆に、載置板６を（リ）のように後方へスライドさせると、バックシート７の曲率半径はＲより小さくなる。すなわち載置板６を前方へスライドさせると、被写体２近傍で反射光がより被写体２に注がれ、（リ）のように後方へスライドさせると、被写体２近傍で反射光が（イ）の場合より減ることを示している。
【００６３】
このようにバックシート７は、載置板６の傾斜又はスライド、第２のアーム８２の高さ又は被写体２との間隔を調整することによって形状を変え、反射光による光量を変化させることができる。以上説明したバックシート７だけでは反射光が十分でない場合、図６に示したような側方レフ板１２を設ければよい。できれば支柱の両方に側方レフ板を設けるのがよい。
【００６４】
ところで（表１）はこうした反射板の効果を測定したものである。反射板として、左右の側方レフ板、バックシート、載置板をセッティングして露光試験したものである。実験は蛍光灯面光源（５０ｃｍ×５０ｃｍ，ツイン２パラレル形，１０４００ｌｍ）を前方へ３５°の角度で傾斜させ、無光沢の１５％グレーの載置板上に、１８％標準反射板の側方レフ板を垂直に立てて、白のバックシートによる露出の変化を写真用露出計で測定したものである。
【００６５】
【表１】
2006171088.tif 000003
（表１）の露光試験の結果によれば、バックシートと載置板、及び左右の側方レフ板を３０°（互いの交角６０°）で被写体を包むように配置した場合と、バックシート無しの場合と比較すると、約４倍の光量を集めることができる。また、この実験には含まれていないが、反射率を変化させ、例えばバックシート、載置板、左右側方レフ板をすべて黒の反射板にした場合は、バックシート無しの場合と同様になる。左右側方レフ板をそれぞれ３０°傾斜させたものの方が平行に置いたものより相当多くの光量を集めることができ、左右２枚の側方レフ板とバックシートは同程度の反射作用を有することが分る。
【００６６】
このように反射率を変化させることで、補助光源を使用しなくても光量のコントロールができることが分る。そして、反射光だけでは十分でないときには、補助の光源として側方光源や下方の補助面光源を併用すればよい。なお、以上の説明は光量だけの観点からの説明であり、画像に特別の風合いを与える場合などでは側方レフ板や補助面光源、側方光源はそれぞれ別の観点からセッティングされる。また、載置板６は上述した構図の修正だけでなく、こうした独特の風合いや立体感を逆に付与するために、当然に使用される。
【００６７】
ところで、実施例１の撮影ライティング装置１の一部を使って、これを固定した台や地表に置き、安定した状態で撮影を行う使用方法も実施可能である。図１０は本発明の実施例１における撮影ライティング装置の架台を使わないときの全体斜視図である。図１０に示すように、支柱４ａ，４ｂを載置板６の支持金具６０に挿入して立設し、載置板６を固定した台や地表に置いて使用するものである。架台３を使用しないほかは、上述した実施例１の撮影ライティング装置１とまったく同一であり、これらについては重複するので、説明を省略する。
【００６８】
このように実施例１の撮影ライティング装置１は、走行輪が付いており分解して運搬できるため持ち運びが容易で、反射光を最大限利用するからロケ地等の電源事情に影響されることが少なく、省電力であり、被写体の大きさや高さ、その他の多様なライティングのニーズに自在に対応してフレキシブルにセッティングでき、如何なる場所にも簡単にコンパクトなミニスタジオを設営でき、ワンタッチもしくは螺合等の簡単な操作だけで扱えるので操作性に優れ、撮影に際しても近距離撮影による遠近の構図と陰影の問題が載置体によって同時に容易に解消される。
【産業上の利用可能性】
【００６９】
本発明は、持ち運びが容易で、ロケ地等の撮影現場で多様な照明のニーズに自在に対応でき、ミニスタジオと呼べるような近距離撮影用の撮影ライティング装置に利用できる。
【図面の簡単な説明】
【００７０】
【図１】本発明の実施例１における撮影ライティング装置の全体斜視図
【図２】図１の撮影ライティング装置の載置体の支持部斜視図
【図３】本発明の実施例１における第２の載置体を備えた撮影ライティング装置の全体斜視図
【図４】本発明の実施例１における撮影ライティング装置の架台要部斜視図
【図５】本発明の実施例１における撮影ライティング装置の面光源全体斜視図
【図６】本発明の実施例１におけるレク板を供えた撮影ライティング装置の全体斜視図
【図７】本発明の実施例１における撮影ライティング装置の構図の修正と陰影の説明図
【図８】本発明の実施例１における撮影ライティング装置の係止腕によるバックシートの形状変化を示す説明図
【図９】本発明の実施例１における撮影ライティング装置の載置体によるバックシートの形状変化を示す説明図
【図１０】本発明の実施例１における撮影ライティング装置の架台を使わないときの全体斜視図
【符号の説明】
【００７１】
１    撮影ライティング装置
２    被写体
３    架台
４ａ，４ｂ    支柱
５    蛍光灯面光源
６    載置板
７    バックシート
８    バックシートアーム
９    側部アーム
１０    側方光源
１１    Ｔ字型ハンドル
１２    側方レフ板
１３    補助面光源
３０    固定用金具
３１    ヒンジ部
３２    固定ネジ
３３  収容容器
３４    走行輪
５０，６０    支持金具      支持金具
５１，６１    固定板      固定板
５２，６２    回動板      回動板
５３，６３    長孔      長孔
５４，５９，６４，６８    締め付けネジ
５５，６５    折り曲げ部
５６    挿通孔
５７    スライド固定部
６６    スライド部
５８，６７    重合孔
６９    ガイド枠
７０    スライド載置板
７１    レール
８１    第１のアーム
８２    第２のアーム
【図１】
2006171088.tif 000004
【図２】
2006171088.tif 000005
【図３】
2006171088.tif 000006
【図４】
2006171088.tif 000007
【図５】
2006171088.tif 000008
【図６】
2006171088.tif 000009
【図７】
2006171088.tif 000010
【図８】
2006171088.tif 000011
【図９】
2006171088.tif 000012
【図１０】
2006171088.tif 000013